(57)【要約】【課題】物品支持ボルトを立設した台座本体に補助固定板が延設された物品支持脚であって、物品支持ボルトで支持される物品が上下に動こうとして、或いは動かされようとして補助固定板に曲げ応力が加わっても、該補助固定板の破損が抑制され、それだけ安全である物品支持脚、及び該物品支持脚の提供を可能にするボルト台座を提供する。【解決手段】ボルト台座１０が台座本体１に補助固定板２を延設して形成されており、台座本体１は物品支持ボルト４の通し孔１１１を形成した頂板部１１と、その周縁から下方へ延びる基台スカート部１２とを含み、補助固定板２は、台座本体１の下端部から延設され、アンカーボルト通し孔２１が形成されているとともに補助固定板に加わる曲げ応力に対抗する補強リブ２２を有している。このボルト台座１０にボルト４を立設した物品支持脚Ａ。【選択図】    図６
2006038011.tif 000002
【特許請求の範囲】
【請求項１】
台座本体に補助固定板を延設したボルト台座の該台座本体に物品支持ボルトが立設され、該物品支持ボルトを被支持物品のボルト螺合部位に螺合させる一方、該台座本体を物品支持基体上に設置するとともに該補助固定板を該物品支持基体に固定することで該物品を該物品支持基体上に支持する物品支持脚のための該ボルト台座であって、前記台座本体は前記物品支持ボルトの通し孔を形成した頂板部と、該頂板部の周縁から下方へ延びる基台スカート部とを含み、前記補助固定板は、該台座本体の下端部から延設され、アンカーボルト通し孔が形成されており、該アンカーボルト通し孔に通され、前記物品支持基体に植設されるアンカーボルトにより該物品支持基体に固定される状態で前記台座本体が浮き上がろうとするときに該補助固定板に加わる曲げ応力に対抗する補強リブを有していることを特徴とする物品支持脚用ボルト台座。
【請求項２】
請求項１記載の物品支持脚用ボルト台座の台座本体頂板部の物品支持ボルトの通し孔に物品支持ボルトの一部を挿通させる状態で該ボルトを立設した物品支持脚。
【請求項３】
請求項１記載の物品支持脚用ボルト台座の台座本体頂板部の物品支持ボルトの通し孔に物品支持ボルトの一部を挿通し、該ボルトを回転可能且つ抜け止め状態に該頂板部に立設した物品支持脚。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚用の台座、特に、ボルト台座にボルトが立設され、該ボルトを被支持物品のボルト螺合部位に螺合させる一方、該台座を物品支持基体（物品設置床等）上に設置することで該物品を該物品支持基体上に支持する物品支持脚のためのボルト台座に関し、さらに、かかるボルト台座にボルトを立設した物品支持脚に関する。
【背景技術】
【０００２】
ボルト台座にボルトが立設され、該ボルトを被支持物品のボルト螺合部位に螺合させる一方、該台座を物品支持基体（物品設置床等）上に設置することで該物品を該物品支持基体上に支持するタイプの物品支持脚は、特開平７−２４３４２０号公報、特開平９−８９１９１号公報等に開示されている。特開平９−８９１９１号公報には、ボルト台座が物品支持ボルトを立設する台座本体に補助固定板を延設したものである物品支持脚も開示されている。
【０００３】
図７にボルト台座が物品支持ボルトを立設する台座本体に補助固定板を延設したものである物品支持脚の例を示す。
図７に示す物品支持脚はボルト台座１０’が台座本体１’に補助固定板２’を延設したものであり、台座本体１’に物品支持ボルト４’が立設されている。この物品支持脚は、そのボルト４’が被支持物品６’のボルト螺合部位６１’に螺合されるとともにボルト台座１０’が物品支持基体（図示例では床Ｆ）上に設置されることで、物品６’を床Ｆ上に支持、設置することができる。補助固定板２’はアンカーボルト５’により床Ｆに固定される。
【０００４】
【特許文献１】特開平７−２４３４２０号公報
【特許文献２】特開平９−８９１９１号公報
【発明の開示】
【発明が解決しようとする課題】
【０００５】
しかしながら、従来の、ボルト台座が物品支持ボルトを立設する台座本体に補助固定板を延設したものである物品支持脚によると、図７に例示するように、物品６’が振動、外力等により床Ｆから浮き上がるように動くと、アンカーボルト５’にて床Ｆに固定された補助固定板５’のアンカーボルト５’と台座本体１’との間の部分２０が曲げ応力（場合によっては繰り返し曲げ応力）により破損することがある。
【０００６】
そこで本発明は、台座本体に補助固定板を延設したボルト台座の該台座本体に物品支持ボルトが立設され、該物品支持ボルトを被支持物品のボルト螺合部位に螺合させる一方、該台座本体を物品支持基体上に設置するとともに該補助固定板を該物品支持基体に固定することで該物品を該物品支持基体上に支持する物品支持脚のための該ボルト台座であって、台座本体に立設される物品支持ボルトにより支持される物品が上下に動こうとして、或いは動かされようとして補助固定板に曲げ応力が加わっても、該補助固定板の破損が抑制され、それだけ安全である物品支持脚用ボルト台座を提供することを課題とする。
【０００７】
また、本発明は、台座本体に補助固定板を延設したボルト台座の該台座本体に物品支持ボルトが立設され、該物品支持ボルトを被支持物品のボルト螺合部位に螺合させる一方、該台座本体を物品支持基体上に設置するとともに該補助固定板を該物品支持基体に固定することで該物品を該物品支持基体上に支持する物品支持脚であって、台座本体に立設された物品支持ボルトにより支持される物品が上下に動こうとして、或いは動かされようとして補助固定板に曲げ応力が加わっても、該補助固定板の破損が抑制され、それだけ安全である物品支持脚を提供することを課題とする。
【課題を解決するための手段】
【０００８】
前記課題を解決するため本発明は次の物品支持脚用ボルト台座及び物品支持脚を提供する。
（１）物品支持脚用ボルト台座
台座本体に補助固定板を延設したボルト台座の該台座本体に物品支持ボルトが立設され、該物品支持ボルトを被支持物品のボルト螺合部位に螺合させる一方、該台座本体を物品支持基体上に設置するとともに該補助固定板を該物品支持基体に固定することで該物品を該物品支持基体上に支持する物品支持脚のための該ボルト台座であって、前記台座本体は前記物品支持ボルトの通し孔を形成した頂板部と、該頂板部の周縁から下方へ延びる基台スカート部とを含み、前記補助固定板は、該台座本体の下端部から延設され、アンカーボルト通し孔が形成されており、該アンカーボルト通し孔に通され、前記物品支持基体に植設されるアンカーボルトにより該物品支持基体に固定される状態で前記台座本体が浮き上がろうとするときに該補助固定板に加わる曲げ応力に対抗する補強リブを有している物品支持脚用ボルト台座。
【０００９】
（２）物品支持脚
前記（１）の物品支持脚用ボルト台座の頂板部の物品支持ボルトの通し孔に物品支持ボルトの一部を挿通させる状態で該ボルトを立設した物品支持脚。
【００１０】
前記（１）の物品支持脚用ボルト台座は、その台座本体の頂板部にボルト通し孔が形成されており、該ボルト通し孔に物品支持ボルトの一部を挿通させる状態で該ボルトを該頂板部に立設して前記（２）の物品支持脚を形成できる。例えば、頂板部のボルト通し孔にボルトの一部を挿通し、該ボルトを回転可能且つ抜け止め状態に該頂板部に立設することで物品支持脚を形成できる。
【００１１】
前記（１）のボルト台座の補助固定板は、そのアンカーボルト通し孔に通され、前記物品支持基体（物品設置床等）に植設されるアンカーボルトにより該物品支持基体に固定される状態で前記台座本体が浮き上がろうとするときに該補助固定板に加わる曲げ応力に対抗する補強リブを有している。
【００１２】
従って、前記台座本体に立設される物品支持ボルトにより支持される物品が上下に動こうとして、或いは上下に動かされて補助固定板に曲げ応力が加わっても、該補助固定板の破損が抑制される。
【００１３】
このように本発明に係るボルト台座は、従来の同種のボルト台座と比べると、その補助固定板の破損が抑制され、それだけ安全に物品を支持することができる物品支持脚の提供を可能ならしめる。
【００１４】
また、本発明に係る物品支持脚は、従来の同種の物品支持脚と比べると、台座本体に立設された物品支持ボルトにより支持される物品が上下に動こうとして、或いは動かされようとして補助固定板に曲げ応力が加わっても、該補助固定板の破損が抑制され、それだけ安全である。
【発明の効果】
【００１５】
以上説明したように本発明によると、台座本体に補助固定板を延設したボルト台座の該台座本体に物品支持ボルトが立設され、該物品支持ボルトを被支持物品のボルト螺合部位に螺合させる一方、該台座本体を物品支持基体上に設置するとともに該補助固定板を該物品支持基体に固定することで該物品を該物品支持基体上に支持する物品支持脚のための該ボルト台座であって、台座本体に立設される物品支持ボルトにより支持される物品が上下に動こうとして、或いは動かされようとして補助固定板に曲げ応力が加わっても、該補助固定板の破損が抑制され、それだけ安全である物品支持脚用ボルト台座を提供することができる。
【００１６】
また、本発明によると、台座本体に補助固定板を延設したボルト台座の該台座本体に物品支持ボルトが立設され、該物品支持ボルトを被支持物品のボルト螺合部位に螺合させる一方、該台座本体を物品支持基体上に設置するとともに該補助固定板を該物品支持基体に固定することで該物品を該物品支持基体上に支持する物品支持脚であって、台座本体に立設された物品支持ボルトにより支持される物品が上下に動こうとして、或いは動かされようとして補助固定板に曲げ応力が加わっても、該補助固定板の破損が抑制され、それだけ安全である物品支持脚を提供することができる。
【発明を実施するための最良の形態】
【００１７】
以下、本発明の実施の形態を図面を参照して説明する。
図１から図５は本発明に係る物品支持脚用ボルト台座の１例１０を示しており、それぞれボルト台座１０の正面図（図１）、平面図（図２）、右側面図（図３）、図２のＸ−Ｘ線に沿う断面図（図４）、図２のＹ−Ｙ線に沿う断面図（図５）である。
また、図６は、ボルト台座１０にボルト４を立設してなる物品支持脚Ａの使用例を示す図である。
【００１８】
図示のボルト台座１０は、台座本体１と、その下端部に一体的に連設された補助固定板２とを含んでいる。台座本体１は、物品支持ボルト４（図６参照）の通し孔１１１を形成した頂板部１１と、該頂板部の周縁から下方へ延びる基台スカート部１２とからなっている。スカート部１２は裾広がりに形成されており、下端フランジ部１２１を有している。      
【００１９】
補助固定板２にはアンカーボルト通し孔２１が形成されている。また、補助固定板２は、該補助固定板がアンカーボルト通し孔２１に通され、物品設置床Ｆ（図６参照）に植設されるアンカーボルト５により該床Ｆに固定される状態で台座本体１が浮き上がろうとするときに該補助固定板に加わる曲げ応力に対抗する一対の補強リブ２２を有している。これらリブ２２は、本例ではボルト台座１０を板金からプレス加工形成するときに一緒に形成されている。リブ２２はアンカーボルト通し孔２１の両側において、台座本体の下端フランジ部１２１から延在している部分に形成されている。
【００２０】
図６に例示するように、かかるボルト台座１０の台座本体頂板部１１のボルト通し孔１１１を利用して該頂板部１１にボルト４を立設することで、物品支持脚Ａを形成することができる。
図６に示すボルト４は、被支持物品６に設けた雌ねじ部（ボルト螺合部位）６１に螺合させる雄ねじ部４１、該雄ねじ部の下側に連設されたレンチ係合部４２、該レンチ係合部から下方へ延びる、ボルト通し孔１１１への挿通部４３及びボルト通し孔１１１に挿通されて基台スカート部１２内へ突出した部分に設けられる抜け止め部材４４を含んでおり、かくして頂板部１１に回転可能且つ抜け止め状態に立設されている。
【００２１】
抜け止め部材４４は図示例では雌ねじ部材であり、その雌ねじを圧潰させつつボルト挿通部４３に嵌着されたものであるが、これに代えて、Ｃ形、Ｅ形等の弾性留め輪をボルト挿通部４３に嵌めてもよい。
また、ボルトの立設態様は以上説明したものに限定されるものではなく、ボルト４（例えばボルトのレンチ係合部４４）と頂板部１との間にボルト回転を円滑にするスラストベアリングを介在させる等してもよい。また、頭付きボルトを該ボルト頭を基台スカード部１２内に配置し、下方からボルト通し孔１１１にボルトを通し、頂板部１１の上側で該ボルトにナットを螺合させてボルトに溶接固定し、これをレンチ係合部とするような態様なども採用できる。
【００２２】
図６に示す物品支持脚Ａによると、被支持物品６の雌ねじ部（ボルト螺合部位）６１に物品支持ボルト４を螺合させ、このとき必要に応じレンチ係合部４２に適当なレンチ（まわし具）を係合させてボルト４を回して螺合させ、且つ、ボルト台座本体１からのボルト突出量を調整してボルト台座１０を物品設置床Ｆに設置し、補助固定板２のアンカーボルト通し孔２１にアンカーボルト５を通して床Ｆに植設して該補助固定板２を床Ｆに固定することで、被支持物品６を床Ｆ上に支持、設置することができる。
【００２３】
ボルト台座１０の補助固定板２には、補助固定板２に加わる曲げ応力に対抗する補強リブ２２を形成してあるから、物品６が振動等により上下に動こうとして、或いは外力等により上下に動かされて補助固定板２に曲げ応力が加わっても、該補助固定板の破損が抑制され、それだけ安全に物品６を支持することができる。
【産業上の利用可能性】
【００２４】
本発明に係るボルト台座は物品支持脚の提供に用いることができ、本発明に係る物品支持脚は各種物品の支持、特に振動等を伴ったり、外力に動かされやすい物品を安全に支持することに利用できる。
【図面の簡単な説明】
【００２５】
【図１】本発明に係る物品支持脚用ボルト台座の１例の正面図である。
【図２】図１のボルト台座の平面図である。
【図３】図１のボルト台座の右側面図である。
【図４】図２のＸ−Ｘ線に沿う断面図である。
【図５】図２のＹ−Ｙ線に沿う断面図である。
【図６】図１から図５に示すボルト台座にボルトを立設してなる物品支持脚の使用例を示す図である。
【図７】従来例を示す図である。
【符号の説明】
【００２６】
Ａ  物品支持脚
１０  ボルト台座
１  台座本体
１１  頂板部
１１１  物品支持ボルト通し孔
１２  基台スカート部
１２１  基台スカート部下端のフランジ部
２  補助固定板
２１  アンカーボルト通し孔
２２  補強リブ
４  物品支持ボルト
４１  雄ねじ部
４２  レンチ係合部
４３  ボルト通し孔への挿通部
４４  抜け止め部材
５  アンカーボルト
６  被支持物品
６１  雌ねじ部（ボルト螺合部位）
Ｆ  物品設置床
【図１】
2006038011.tif 000003
【図２】
2006038011.tif 000004
【図３】
2006038011.tif 000005
【図４】
2006038011.tif 000006
【図５】
2006038011.tif 000007
【図６】
2006038011.tif 000008
【図７】
2006038011.tif 000009
【手続補正書】
【提出日】平成16年8月4日(2004.8.4)
【手続補正１】
【補正対象書類名】明細書
【補正対象項目名】００２２
【補正方法】変更
【補正の内容】
【００２２】
図６に示す物品支持脚Ａによると、被支持物品６の雌ねじ部（ボルト螺合部位）６１に物品支持ボルト４を螺合させ、このとき必要に応じレンチ係合部４２に適当なレンチ（まわし具）を係合させてボルト４を回して螺合させ、且つ、ボルト台座本体１から雌ねじ部６１までのボルト突出量、すなわち、台座本体１から雌ねじ部６１までの高さ、さらに言えば、床Ｆからの高さを調整してボルト台座１０を物品設置床Ｆに設置し、補助固定板２のアンカーボルト通し孔２１にアンカーボルト５を通して床Ｆに植設して該補助固定板２を床Ｆに固定することで、被支持物品６を床Ｆ上に支持、設置することができる。
【手続補正２】
【補正対象書類名】図面
【補正対象項目名】図６
【補正方法】変更
【補正の内容】
【図６】
2006038011.tif 000010